(57)【要約】【課題】天板から垂れ下がる配線と、他の配線との干渉を抑え、天板の円滑な昇降動作の妨げを妨げるのを防ぐ。【解決手段】デスク装置は、上面２１ｆに作業面を有した天板と、床面上に設置されて天板を支持し、天板の高さを変更可能な脚部材と、天板の下方に設けられ、ケーブルベア６０および配線１００を収容可能なダクト部３１と、を備え、ダクト部３１は、上端６０ａが天板に固定されて下方に垂れ下がるケーブルベア６０の下部を収容する空間Ｓ１と、ダクト部３１内で床面に沿った方向に延びる配線１００を収容する空間Ｓ２と、空間Ｓ１と空間Ｓ２とを区画する区画壁部５０ｄと、を備える。【選択図】図３
2017000560.tif 000002
【特許請求の範囲】
【請求項１】
上面に作業面を有した天板と、
床面上に設置されて前記天板を支持し、前記天板の高さを変更可能な脚部材と、
前記天板の下方に設けられ、配線を収容可能な配線収容体と、を備え、
前記配線収容体は、
前記天板側から下方に垂れ下がる第一の配線を収容する第一配線収容部と、
前記第一の配線と異なる第二の配線を収容する第二配線収容部と、
前記第一配線収容部と前記第二配線収容部とを区画する区画部と、
を備えることを特徴とする天板昇降式什器。
【請求項２】
前記第二配線収容部は、床面から立ち上がる前記第二の配線を収容するとともに、前記第一配線収容部よりも下方に配置されていることを特徴とする請求項１に記載の天板昇降式什器。
【請求項３】
前記配線収容体は、
前記天板側から垂れ下がる前記第一の配線を前記第一配線収容部内に挿通させる開口部と、
前記第二配線収容部の上方を覆うカバーと、
を有することを特徴とする請求項１または２に記載の天板昇降式什器。
【請求項４】
前記配線収容体は、上方に向かって延びるパネルを支持することを特徴とする請求項１から３のいずれか一項に記載の天板昇降式什器。
【発明の詳細な説明】
【技術分野】
【０００１】
本発明は、昇降式の天板を備えたデスク装置、テーブル装置、カウンター装置等の天板昇降式什器に関する。
【背景技術】
【０００２】
オフィスや公共施設等においては、各種作業等を行うことのできる天板を備えたデスク装置、テーブル装置、カウンター装置等の天板付什器が用いられている。
このような天板付什器においては、使用者の体格、性別、好み等によって、作業のしやすい天板の高さは個々に異なる。そこで、例えば特許文献１、２に開示されているように、天板の高さを上下に変更可能とする昇降機能を備えた天板付什器が多用されている。
【先行技術文献】
【特許文献】
【０００３】
【特許文献１】特許第３３９１２８５号公報
【特許文献２】特開２０１４−２１７７４０号公報
【発明の概要】
【発明が解決しようとする課題】
【０００４】
上記したような天板付什器においては、天板上で電子機器や照明装置等を使用するために、各種配線を床から天板に向かって上下方向に延びるように、つまり天板から下方に垂れさがるように配置することがある。
【０００５】
一方、天板付什器には、天板の下方に設けられ、横方向に延びる配線を収容する配線ダクトを設けることがある。昇降機能を備えた天板付什器において、このような配線ダクトに、天板から垂れ下がる配線の下部を収容する場合、天板の昇降にともなって配線の弛み量が変動する。具体的には、天板が下降して配線の弛み量が大きくなると、配線の下部が配線ダクト内に横たわるようにして収容される。
【０００６】
しかし、配線ダクト内で、横方向に延びる配線と天板から垂れ下がる配線の下部とが干渉したり、配線ダクトから外部にはみ出たり、配線同士が絡み合って天板の昇降動作の妨げになることがある。
そこでなされた本発明の目的は、天板から垂れ下がる配線と、他の配線との干渉を抑え、天板の円滑な昇降動作の妨げを防ぐことのできる天板昇降式什器を提供することである。
【課題を解決するための手段】
【０００７】
本発明は、上記課題を解決するため、以下の手段を採用する。
この発明に係る天板昇降式什器は、上面に作業面を有した天板と、床面上に設置されて前記天板を支持し、前記天板の高さを変更可能な脚部材と、前記天板の下方に設けられ、配線を収容可能な配線収容体と、を備え、前記配線収容体は、前記天板側から下方に垂れ下がる第一の配線を収容する第一配線収容部と、前記第一の配線と異なる第二の配線を収容する第二配線収容部と、前記第一配線収容部と前記第二配線収容部とを区画する区画部と、
を備えることを特徴とする。
【０００８】
このように構成することで、天板側から下方に垂れ下がる第一の配線と、第一の配線と異なる第二の配線とを、配線収容体内で区画部によって区画して収容することができる。これにより、配線収容体内で、第一の配線と第二の配線とが干渉したり、絡み合ったりするのを防ぐことができるため、天板の円滑な昇降動作の妨げを防ぐことができる。
【０００９】
また、この発明に係る天板昇降式什器は、上記天板昇降式什器において、前記第二配線収容部は、床面から立ち上がる前記第二の配線を収容するとともに、前記第一配線収容部よりも下方に配置されていることが好ましい。
【００１０】
このように構成された天板昇降式什器では、第一の配線が収容される第一配線収容部は、配線収容体の上部に配置される。また、第二の配線が収容される第二配線収容部は、配線収容体の下部に配置される。よって、天板側から下方に垂れ下がる第一の配線は配線収容体の上部に収容されるとともに、床面から立ち上がる第二の配線は配線収容体の下部に収容されるため、第一の配線と第二の配線とが上下方向に干渉するのを防ぐことができる。
【００１１】
また、この発明に係る天板昇降式什器は、上記天板昇降式什器において、前記配線収容体は、前記天板側から垂れ下がる前記第一の配線を前記第一配線収容部内に挿通させる開口部と、前記第二配線収容部の上方を覆うカバーと、を有するようにしてもよい。
【００１２】
このように構成することで、天板から垂れ下がる第一の配線については、開口部を通して第一配線収容部内に円滑に収容することができる。また、床面に沿った方向に延びる第二の配線は、カバーによってその上方を覆うことができるので、見栄えを向上させることができる。
【００１３】
また、この発明に係る天板昇降式什器は、上記天板昇降式什器において、前記配線収容体は、上方に向かって延びるパネルを支持するようにしてもよい。
【００１４】
このように構成することで、配線収容体に、例えば天板の外周端部に沿って設置される仕切パネルや幕板としてのパネルを設置することができる。
【発明の効果】
【００１５】
この発明に係る天板昇降式什器によれば、天板から垂れ下がる配線と、他の配線との干渉を抑え、天板の円滑な昇降動作の妨げを防ぐことができる。
【図面の簡単な説明】
【００１６】
【図１】この発明の一実施形態に係るデスク装置の構成を示す斜視図である。
【図２】上記デスク装置のダクト部の構成を示す斜視図である。
【図３】上記ダクト部の構成を示す断面図である。
【図４】上記ダクト部の変形例の構成を示す断面図である。
【図５】上記デスク装置の変形例の構成を示す斜視図である。
【図６】上記ダクト部の構成を示す断面図である。
【発明を実施するための形態】
【００１７】
以下、添付図面を参照して、本発明による天板昇降式什器を実施するための形態を説明する。しかし、本発明はこの実施形態のみに限定されるものではない。
【００１８】
図１は、この発明の一実施形態に係るデスク装置の構成を示す斜視図である。図２は、上記デスク装置のダクト部の構成を示す斜視図である。図３は、上記ダクト部の構成を示す断面図である。
図１に示すように、デスク装置（天板昇降式什器）１０は、床面Ｆに設置される脚体１１と、脚体１１に支持された一対の天板部２０Ａ，２０Ｂと、天板部２０Ａ，２０Ｂの間に配置された中間仕切部３０と、を備えている。
この実施形態において、天板部２０Ａ，２０Ｂは、それぞれ平面視長方形で、上面２１ｆが作業面とされた天板２１Ａ，２１Ｂを備えている。天板２１Ａ，２１Ｂは、平面視した状態で、それぞれの短辺方向において互いに対向している。以下の説明において、天板２１Ａ，２１Ｂが互いに対向する方向（短辺方向に沿った方向）を前後方向、天板２１Ａ，２１Ｂの長手方向に沿った方向を幅方向、デスク装置１０が設置される床面Ｆに直交する方向を上下方向と適宜称する。
【００１９】
脚体１１は、床面Ｆに沿って設けられるベース部材１２、１２と、各ベース部材１２上に設けられて上下方向に延び、天板部２０Ａ、２０Ｂを支持する脚部材１３、１３と、を備えている。
【００２０】
ベース部材１２、１２は、デスク装置１０の幅方向両端部に位置するよう設けられている。各ベース部材１２の下面には、前後方向の両端部に床面Ｆに接地する接地部材１２ｄが設けられ、接地部材１２ｄによってベース部材１２の高さおよび水平レベルを調整できるようになっている。
【００２１】
脚部材１３は、各ベース部材１２の長さ方向（前後方向）の一端部１２ａと他端部１２ｂとに、それぞれ設けられている。各脚部材１３は、ベース部材１２上に固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。第一筒部１３ｘ、第二筒部１３ｙ、第三筒部１３ｚは、それぞれ角筒状をなしている。各脚部材１３は、第一筒部１３ｘに対し、第二筒部１３ｙ、第三筒部１３ｚが上下方向に沿って出没することで、上下方向の長さが調整可能となっている。
【００２２】
脚部材１３，１３の第三筒部１３ｚの上端には、支持ブラケット２３が設けられている。この支持ブラケット２３を介して、天板２１Ａ，２１Ｂは、第三筒部１３ｚの上端に取り付けられている。
【００２３】
さらに、デスク装置１０は、脚部材１３の動作を制御する制御ユニット（不図示。以下同じ。）と、制御ユニットに昇降動作信号を入力するための操作部１９と、を備えている。
制御ユニットは、例えば、天板２１Ａ，２１Ｂの下面等に固定されている。この制御ユニットには、デスク装置１０が配置される執務空間に設けられた商用電源に接続される電源ケーブル（不図示。以下同じ。）が接続されている。
【００２４】
操作部１９は、天板２１Ａ，２１Ｂの下面に設けられている。操作部１９は、制御ユニットに、配線ケーブル（不図示。以下同じ。）を介して電気的に接続されている。
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて脚部材１３に昇降動作を実行させる指令信号を出力する。各脚部材１３は、指令信号を受信すると、その指令信号に応じて、例えば各脚部材１３に内蔵された伸縮駆動装置（不図示）によって伸縮駆動され、これによって天板部２０Ａ，２０Ｂの高さの調整がなされる。
【００２５】
中間仕切部３０は、天板２１Ａと天板２１Ｂとの間に、幅方向に沿って連続して配置されている。中間仕切部３０は、天板２１Ａ，２１Ｂの下方に設けられ配線等を収容するダクト部（配線収容体）３１と、ダクト部３１上に設けられ、鉛直面内に位置して、天板２１Ａ，２１Ｂの間を仕切る仕切パネル（パネル）３２と、を備えている。
【００２６】
ダクト部３１は、支柱３３、３３と、ダクト本体３４と、を備えている。
支柱３３は、デスク装置１０の幅方向両側に位置するベース部材１２、１２のそれぞれにおいて、一端部１２ａと他端部１２ｂとの中間部に配置され、ベース部材１２から上方に向かって立設されている。
【００２７】
図２に示すように、各支柱３３において、デスク装置１０の幅方向内方を向く側には、上下方向に連続する配線収容溝３３ｍが形成され、床面Ｆから上方に立ち上げてダクト本体３４へと導かれる配線（第二の配線、配線）１００を収容できるようになっている。この配線収容溝３３ｍは、配線収容溝３３ｍを塞ぐカバー３３ｃが着脱自在に装着可能とされている。カバー３３ｃの上下端部には切欠き３３ｄが形成され、この切欠き３３ｄを通して、配線収容溝３３ｍ内に配線１００を導入又は導出できる。
【００２８】
図２、図３に示すように、ダクト本体３４は、支柱３３、３３上に支持された底板部３４ａと、底板部３４ａにおいて、デスク装置１０の前後方向両端部からそれぞれ上方に立ち上がる側壁部３４ｂ、３４ｂと、を有している。図３に示すように、側壁部３４ｂの上端には、ダクト本体３４の内側に向かって延びる天面部３４ｃと、天面部３４ｃの内側端部から下方に向かって折り曲げられた折返し壁部３４ｄとが、設けられている。これら底板部３４ａ、側壁部３４ｂ、天面部３４ｃおよび折返し壁部３４ｄは、一体に形成されている。
【００２９】
図２に示すように、ダクト本体３４は、デスク装置１０の幅方向両端部に位置するダクト端部（端部）３４ｅ、３４ｅが、デスク装置１０の幅方向外方に向かって開口している。
ダクト端部３４ｅの開口は、端部プレート３８により閉塞されている。端部プレート３８には、切欠き３８ａが形成され、この切欠き３８ａに対し蓋体３９が着脱自在とされている。蓋体３９を取り外すと、切欠き３８ａを通して配線１００等をダクト部３１の内外に挿通できるようになっている。
【００３０】
図３に示すように、ダクト本体３４の底板部３４ａには、デスク装置１０の幅方向両端部に、それぞれ、上方に向かって立ち上がる柱状のパネル支持部材３６が設けられている。仕切パネル３２は、デスク装置１０の幅方向両端部に位置するパネル支持部材３６、３６上に支持されている。
さらに、パネル支持部材３６、３６上には、上面３７ａが天面部３４ｃと同じ高さに位置するセンターカバー（カバー）３７が設けられている。このセンターカバー３７と、ダクト本体３４の天面部３４ｃとの間に、デスク装置１０の幅方向に沿って延び、上方に向かって開口したスリット（開口部）Ｓ０が形成されている。
【００３１】
図２に示すように、ダクト本体３４の底板部３４ａには、支柱３３の近傍に開口部３５が形成されている。床面Ｆから立ち上げられた配線１００は、支柱３３に形成された下側の切欠き３３ｄから支柱３３内に導かれ、上側の切欠き３３ｄを通過して、底板部３４ａの開口部３５からダクト本体３４内に導き入れられる。
【００３２】
ダクト本体３４の底板部３４ａには、デスク装置１０の幅方向中央部に、ダクト本体３４の全長（デスク装置１０の幅方向の長さ）よりも短い長さのケーブルガイド（区画部）５０、５０が設けられている。ケーブルガイド５０、５０は、底板部３４ａ上において、デスク装置１０の前後方向の両端部にそれぞれ設けられている。
【００３３】
図３に示すように、それぞれのケーブルガイド５０は、底板部３４ａ上に固定された基部５０ａと、基部５０ａから側壁部３４ｂに沿って立ち上がる立ち上がり部５０ｂと、立ち上がり部５０ｂの上端から他方の側壁部３４ｂ側に向かって延びる上面部５０ｃと、上面部５０ｃの先端部から上方に立ち上がる区画壁部５０ｄと、を一体に備えている。
【００３４】
上面部５０ｃは、床面Ｆと平行に形成されている。また、区画壁部５０ｄは、それぞれのケーブルガイド５０において、上面部５０ｃの、ダクト本体３４の中央部（デスク装置１０の前後方向における中央部）側の端部に形成されている。
【００３５】
このようなケーブルガイド５０は、上端６０ａが連結金具６２を介して天板２１Ａ，２１Ｂの下面に固定されたケーブルベア（登録商標）６０（第一の配線、配線）の下部６０ｃが収容可能とされている。ケーブルベア６０は、多数のチェーンコマ６１を図示しないリンクピンで回動自在に連結したもので、その内部に、天板２１Ａ，２１Ｂ上で使用される電子機器用の配線等が収容される。ケーブルガイド５０の上面部５０ｃ上には、ケーブルベア６０の下端６０ｂを回動自在に連結する連結金具６３が固定されている。このようなケーブルベア６０は、天板２１Ａ，２１Ｂの下面から下方に垂れ下がり、下部６０ｃがスリットＳ０を通してダクト部３１のダクト本体３４内に収容されている。このケーブルベア６０の内部は、脚部材１３の動作を制御する制御ユニット（不図示）に接続された配線（不図示）や、天板２１Ａ，２１Ｂ上で使用される電子機器（不図示）に接続された配線（不図示）が配置可能とされている。
【００３６】
ケーブルベア６０は、天板部２０Ａ、２０Ｂの昇降にともなって、弛み量が変動する。天板部２０Ａ、２０Ｂが下降すると、ケーブルベア６０の弛み量が大きくなる。ケーブルベア６０の弛み量が大きくなると、ケーブルベア６０の下部６０ｃは、ケーブルガイド５０の上面部５０ｃに沿って、デスク装置１０の幅方向に沿って延びるように横たわる。このとき、上面部５０ｃ上のケーブルベア６０の下部６０ｃは、ダクト本体３４の中央部側に区画壁部５０ｄが立ち上がっているので、ダクト本体３４の中央部側への移動が拘束される。これにより、ケーブルベア６０は、ダクト本体３４の両側において、それぞれのケーブルガイド５０の立ち上がり部５０ｂと、側壁部３４ｂとに挟まれた空間（第一配線収容部）Ｓ１に配置される。この空間Ｓ１は、スリットＳ０の下方に位置している。
【００３７】
また、ダクト本体３４内に、デスク装置１０の幅方向に連続するように配設される配線１００が収容されている場合、この配線１００は、ダクト本体３４内で、両側のケーブルガイド５０、５０間に配置される。具体的には、配線１００は、ダクト本体３４の底板部３４ａ上で、両側のケーブルガイド５０、５０の立ち上がり部５０ｄ、５０ｄの間に挟まれた空間（第二配線収容部）Ｓ２に配置される。この空間Ｓ２の上方には、上記センターカバー３７が配置されている。このセンターカバー３７により、上方から空間Ｓ２内の配線１００が見えるのが遮られている。
【００３８】
空間Ｓ１の下面を形成するケーブルガイド５０の上面部５０ｃは、空間Ｓ２の下面を形成するダクト本体３４の底板部３４ａよりも上方に配置されている。このように、空間Ｓの下端位置は、空間Ｓ２の下端位置よりも上方に配置されている。
【００３９】
上述したようなデスク装置１０によれば、上面２１ｆに作業面を有した天板２１Ａ，２１Ｂと、床面Ｆ上に設置されて天板２１Ａ，２１Ｂを支持し、天板２１Ａ，２１Ｂの高さを変更可能な脚部材１３と、天板２１Ａ，２１Ｂの下方に設けられ、ケーブルベア６０および配線１００を収容可能なダクト部３１と、を備え、ダクト部３１は、上端６０ａが天板２１Ａ，２１Ｂに固定されて下方に垂れ下がるケーブルベア６０の下部６０ｃを収容する空間Ｓ１と、ダクト部３１内で床面Ｆから立ち上がる配線１００を収容する空間Ｓ２と、空間Ｓ１と空間Ｓ２とを区画する区画壁部５０ｄと、を備える。
このように構成することで、天板２１Ａ，２１Ｂから下方に垂れ下がるケーブルベア６０と、床面Ｆから立ち上がる配線１００とを、ダクト部３１内で区画壁部５０ｄによって区画して収容することができる。これにより、ダクト部３１内で、ケーブルベア６０と配線１００とがデスク装置１０の前後方向に干渉したり、絡み合ったりするのを防ぐことができる。よって、天板２１Ａ，２１Ｂを昇降させる際に、他の配線１００が干渉することによってケーブルベア６０の下部６０ｃのたわみ量の変動を妨げるのを防ぐことができる。したがって、天板２１Ａ，２１Ｂから垂れ下がるケーブルベア６０と、他の配線１００との干渉を抑え、天板２１Ａ，２１Ｂの円滑な昇降動作を円滑に行うことができる。
【００４０】
また、デスク装置１０では、空間Ｓ１の下面を形成するケーブルガイド５０の上面部５０ｃは、空間Ｓ２の下面を形成するダクト本体３４の底板部３４ａよりも上方に配置されている。このように、空間Ｓの下端位置は、空間Ｓ２の下端位置よりも上方に配置されている。このように構成することで、天板２１Ａ，２１Ｂ側から下方に垂れ下がるケーブルベア６０はダクト部３１の上部に収容されるとともに、床面Ｆから立ち上がる配線１００はダクト部３１の下部に収容されるため、ケーブルベア６０と配線１００とが上下方向に干渉するのを防ぐことができる。
【００４１】
また、デスク装置１０は、ダクト部３１の上面に、天板２１Ａ，２１Ｂから垂れ下がるケーブルベア６０を空間Ｓ１内に挿通させるスリットＳ０と、空間Ｓ２の上方を覆うセンターカバー３７と、が設けられている。このように構成することで、天板２１Ａ，２１Ｂから垂れ下がるケーブルベア６０については、スリットＳ０を通して空間Ｓ１内に円滑に収容することができる。また、床面Ｆに沿った方向に延びる配線１００は、センターカバー３７によってその上方を覆うことができるので、見栄えを向上させることができる。
【００４２】
また、デスク装置１０は、ダクト部３１上に、上方に向かって延びる仕切パネル３２が支持されている。このように構成することで、ダクト部３１は、天板２１Ａ，２１Ｂの外周端部に沿って設置される仕切パネル３２を支持する部材としての機能を兼ね備えることができる。
【００４３】
（その他の実施形態）
なお、本発明の天板昇降式什器は、図面を参照して説明した上述の実施形態に限定されるものではなく、その技術的範囲において様々な変形例が考えられる。
例えば、上記実施形態においては、ダクト部３１を、デスク装置１０の幅方向に連続するように設けたが、デスク装置１０の前後方向に連続する場合であってもよい。
【００４４】
また、ケーブルガイド５０の構成については、何ら限定するものではなく、例えば、ダクト本体３４内において、デスク装置１０の幅方向の全長にわたって設けてもよい。
また、上記実施形態では、ケーブルガイド５０は、上面部５０ｃが底板部３４ａの上方に離間して配置される構成としたが、これに限らず、少なくとも空間Ｓ１と空間Ｓ２とを区画する構成であればよい。例えば、上記に示す実施形態のケーブルガイド５０において、上面部５０ｃから上方に立ち上がる区画壁部５０ｄを有さない構成であってもよい。この場合には、ケーブルガイド５０の上面部５０ｃがダクト本体３４の底板部３４ａよりも上方に配置されているため、空間Ｓ１と空間Ｓ２とは上下方向に区画される。また、図４に示すように、ダクト本体３４の底板部３４ａ上に上方に立ち上がる区画壁部５０ｄを直接設けてもよい。
【００４５】
さらに、図５、図６に示すように、ダクト本体３４の底板部３４ａに、貫通孔５５を形成し、ケーブルベア６０の余長部６０ｄを、貫通孔を通してダクト本体３４の下方に垂れ下げるようにしてもよい。この場合も、ダクト本体３４内で、ケーブルベア６０が収容される空間Ｓ１と、他の配線１００が収容される空間Ｓ２とを、区画壁部５０ｄにより区画すればよい。
【００４６】
さらには、天板２１Ａ，２１Ｂから垂れ下がるケーブルベア６０をダクト本体３４内に収容する場合を例に挙げたが、ケーブルベア６０以外の配線束等をダクト本体３４内に収容する場合であっても、上記と同様の構成が適用できる。
【００４７】
さらには、空間Ｓ２に収容される配線は、床面から立ち上がる配線には限られず、天板側から下方に垂れさがる配線と異なる配線であればよい。よって、例えば、壁面に設けられたコンセント（不図示）等に接続され、天板の幅方向等に延びる配線が空間Ｓ２に収容される構成であってもよい。
【００４８】
また、上記実施形態では、一つのデスク装置１０に、二つの天板２１Ａ，２１Ｂを備えるようにしたが、これに限らず、一つの天板のみを備えた構成であってもよい。
これ以外にも、本発明の主旨を逸脱しない限り、上記実施の形態で挙げた構成を取捨選択したり、他の構成に適宜変更したりすることが可能である。
【符号の説明】
【００４９】
１０  デスク装置（天板昇降式什器）
１３  脚部材
２０Ａ  天板部
２１Ａ，２１Ｂ  天板
２１ｆ  上面
３１  ダクト部（配線収容体）
３２  仕切パネル（パネル）
３４  ダクト本体
３７  センターカバー（カバー）
５０  ケーブルガイド（区画部）
５０ｄ  区画壁部
６０  ケーブルベア（第一の配線、配線）
６０ａ  上端（上部）
６０ｃ  下部
１００  配線（第二の配線、配線）
Ｆ  床面
Ｓ０  スリット（開口部）
Ｓ１  空間（第一配線収容部）
Ｓ２  空間（第二配線収容部）
【図１】
2017000560.tif 000003
【図２】
2017000560.tif 000004
【図３】
2017000560.tif 000005
【図４】
2017000560.tif 000006
【図５】
2017000560.tif 000007
【図６】
2017000560.tif 000008